(57)【要約】【課題】端末装置において通信品質の測定対象を適切に絞り込んで、通信品質測定に要する時間を短縮できるようにする。【解決手段】端末が現在在圏する在圏セルの帯域に関する情報などに基づいて、第１の測定方式および第２の測定方式のいずれかを選択する。例えば、在圏セルが最も広帯域なセルである場合に、第１の測定方式を選択し、在圏セルが最も広帯域なセルでない場合に、第２の測定方式を選択する。そして、第１の測定方式を選択した場合には、周辺セルの全てを対象にして通信品質を測定し、第２の測定方式を選択した場合には、自装置の現在の位置情報を取得して、その位置情報、および各位置での過去の通信状況に関する通信履歴情報に基づいて、周辺セルの少なくとも１つのセルを抽出して、そのセルを対象として通信品質を測定する。【選択図】図９
2018182461.tif 000002
【特許請求の範囲】
【請求項１】
通信制御装置から通知される周辺セルを対象にして通信品質を測定して、その測定結果を前記通信制御装置に報告する端末装置であって、
前記通信制御装置と通信を行う通信部と、
自装置の位置情報を取得する位置情報取得部と、
各位置での過去の通信状況に関する通信履歴情報を蓄積する情報格納部と、
前記周辺セルに関する情報を前記通信制御装置から受信すると、前記周辺セルを対象にして通信品質を測定して、その測定結果を前記通信制御装置に送信する制御部と、
を備え、
前記制御部は、
自装置が現在在圏する在圏セルが最も広帯域なセルである場合に、第１の測定方式を選択し、
前記在圏セルが最も狭帯域なセルである場合に、第２の測定方式を選択し、
前記第１の測定方式を選択した場合には、前記周辺セルの全てを対象にして通信品質を測定し、
前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定することを特徴とする端末装置。
【請求項２】
通信制御装置から通知される周辺セルを対象にして通信品質を測定して、その測定結果を前記通信制御装置に報告する端末装置であって、
前記通信制御装置と通信を行う通信部と、
自装置の位置情報を取得する位置情報取得部と、
各位置での過去の通信状況に関する通信履歴情報を蓄積する情報格納部と、
前記周辺セルに関する情報を前記通信制御装置から受信すると、前記周辺セルを対象にして通信品質を測定して、その測定結果を前記通信制御装置に送信する制御部と、
を備え、
前記制御部は、
自装置が現在在圏する在圏セルの帯域に関する情報、前記周辺セルの帯域に関する情報、および自装置の近傍に存在するセルの帯域に関する情報の少なくともいずれかに基づいて、第１の測定方式および第２の測定方式のいずれかを選択し、
前記第１の測定方式を選択した場合には、前記周辺セルの全てを対象にして通信品質を測定し、
前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定することを特徴とする端末装置。
【請求項３】
前記制御部は、
前記自装置の現在の位置情報および前記通信履歴情報に基づいて、前記自装置の近傍に存在するセルの帯域に関する情報を取得することを特徴とする請求項２に記載の端末装置。
【請求項４】
前記制御部は、
前記在圏セルが最も広帯域なセルである場合に、前記第１の測定方式を選択し、
前記在圏セルが最も広帯域なセルでない場合に、前記第２の測定方式を選択することを特徴とする請求項２に記載の端末装置。
【請求項５】
前記制御部は、
前記在圏セルが最も広帯域なセルである場合に、前記第１の測定方式を選択し、
前記在圏セルが最も狭帯域なセルである場合に、前記第２の測定方式を選択し、
前記在圏セルが最も広帯域なセルおよび最も狭帯域なセルのいずれでもなく、かつ、前記在圏セルより広帯域なセルが自装置の近傍に存在しない場合に、前記第１の測定方式を選択し、
前記在圏セルが最も広帯域なセルおよび最も狭帯域なセルのいずれでもなく、かつ、前記在圏セルより広帯域なセルが自装置の近傍に存在する場合に、前記第２の測定方式を選択することを特徴とする請求項２に記載の端末装置。
【請求項６】
前記制御部は、
前記在圏セルより広帯域なセルが自装置の近傍に存在しない場合に、前記第１の測定方式を選択し、
前記在圏セルより広帯域なセルが自装置の近傍に存在する場合に、前記第２の測定方式を選択することを特徴とする請求項２に記載の端末装置。
【請求項７】
前記制御部は、
前記周辺セルの中に前記在圏セルより広帯域なセルが存在しない場合に、前記第１の測定方式を選択し、
前記周辺セルの中に前記在圏セルより広帯域なセルが存在する場合に、前記第２の測定方式を選択することを特徴とする請求項２に記載の端末装置。
【請求項８】
前記制御部は、
前記在圏セルが最も広帯域なセルである場合に、前記第１の測定方式を選択し、
前記在圏セルが最も狭帯域なセルである場合に、前記第２の測定方式を選択し、
前記在圏セルが最も広帯域なセルおよび最も狭帯域なセルのいずれでもなく、かつ、前記周辺セルの中に前記在圏セルより広帯域なセルが存在しない場合に、前記第１の測定方式を選択し、
前記在圏セルが最も広帯域なセルおよび最も狭帯域なセルのいずれでもなく、かつ、前記周辺セルの中に前記在圏セルより広帯域なセルが存在する場合に、前記第２の測定方式を選択することを特徴とする請求項２に記載の端末装置。
【請求項９】
前記制御部は、
前記在圏セルが最も広帯域なセルである場合に、前記第１の測定方式を選択し、
前記在圏セルが最も狭帯域なセルである場合に、前記第２の測定方式を選択し、
前記在圏セルが最も広帯域なセルおよび最も狭帯域なセルのいずれでもなく、かつ、前記周辺セルの中に前記在圏セルより広帯域なセルが存在しない場合に、前記第１の測定方式を選択し、
前記在圏セルが最も広帯域なセルおよび最も狭帯域なセルのいずれでもなく、かつ、前記周辺セルの中に前記在圏セルより広帯域なセルが存在し、かつ、前記在圏セルより広帯域なセルが自装置の近傍に存在しない場合に、前記第１の測定方式を選択し、
前記在圏セルが最も広帯域なセルおよび最も狭帯域なセルのいずれでもなく、かつ、前記周辺セルの中に前記在圏セルより広帯域なセルが存在し、かつ、前記在圏セルより広帯域なセルが自装置の近傍に存在する場合に、前記第２の測定方式を選択することを特徴とする請求項２に記載の端末装置。
【請求項１０】
通信制御装置から端末装置に周辺セルを通知し、前記端末装置において、前記周辺セルを対象にして通信品質を測定して、その測定結果を前記通信制御装置に報告する通信システムであって、
前記端末装置は、
前記通信制御装置と通信を行う通信部と、
自装置の位置情報を取得する位置情報取得部と、
各位置での過去の通信状況に関する通信履歴情報を蓄積する情報格納部と、
前記周辺セルに関する情報を前記通信制御装置から受信すると、前記周辺セルを対象にして通信品質を測定して、その測定結果を前記通信制御装置に送信する制御部と、
を備え、
前記制御部は、
自装置が現在在圏する在圏セルが最も広帯域なセルである場合に、第１の測定方式を選択し、
前記在圏セルが最も狭帯域なセルである場合に、第２の測定方式を選択し、
前記第１の測定方式を選択した場合には、前記周辺セルの全てを対象にして通信品質を測定し、
前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定することを特徴とする通信システム。
【請求項１１】
通信制御装置から端末装置に周辺セルを通知し、前記端末装置において、前記周辺セルを対象にして通信品質を測定して、その測定結果を前記通信制御装置に報告する通信システムであって、
前記端末装置は、
前記通信制御装置と通信を行う通信部と、
自装置の位置情報を取得する位置情報取得部と、
各位置での過去の通信状況に関する通信履歴情報を蓄積する情報格納部と、
前記周辺セルに関する情報を前記通信制御装置から受信すると、前記周辺セルを対象にして通信品質を測定して、その測定結果を前記通信制御装置に送信する制御部と、
を備え、
前記制御部は、
自装置が現在在圏する在圏セルの帯域に関する情報、前記周辺セルの帯域に関する情報、および自装置の近傍に存在するセルの帯域に関する情報の少なくともいずれかに基づいて、第１の測定方式および第２の測定方式のいずれかを選択し、
前記第１の測定方式を選択した場合には、前記周辺セルの全てを対象にして通信品質を測定し、
前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定することを特徴とする通信システム。
【請求項１２】
通信制御装置から通知される周辺セルを対象にして通信品質を測定して、その測定結果を前記通信制御装置に報告する端末装置の通信品質測定方法であって、
前記周辺セルに関する情報を前記通信制御装置から受信すると、
前記端末装置が現在在圏する在圏セルが最も広帯域なセルである場合に、第１の測定方式を選択し、
前記在圏セルが最も狭帯域なセルである場合に、第２の測定方式を選択し、
前記第１の測定方式を選択した場合には、前記周辺セルの全てを対象にして通信品質を測定し、
前記第２の測定方式を選択した場合には、自装置の現在の位置情報を取得して、その位置情報、および各位置での過去の通信状況に関する通信履歴情報に基づいて、前記周辺セルの少なくとも１つのセルを抽出して、そのセルを対象として通信品質を測定し、
前記通信品質の測定結果を前記通信制御装置に送信することを特徴とする通信品質測定方法。
【請求項１３】
通信制御装置から通知される周辺セルを対象にして通信品質を測定して、その測定結果を前記通信制御装置に報告する端末装置の通信品質測定方法であって、
前記周辺セルに関する情報を前記通信制御装置から受信すると、
自装置が現在在圏する在圏セルの帯域に関する情報、前記周辺セルの帯域に関する情報、および自装置の近傍に存在するセルの帯域に関する情報の少なくともいずれかに基づいて、第１の測定方式および第２の測定方式のいずれかを選択し、
前記第１の測定方式を選択した場合には、前記周辺セルの全てを対象にして通信品質を測定し、
前記第２の測定方式を選択した場合には、自装置の現在の位置情報を取得して、その位置情報、および各位置での過去の通信状況に関する通信履歴情報に基づいて、前記周辺セルの少なくとも１つのセルを抽出して、そのセルを対象として通信品質を測定し、
前記通信品質の測定結果を前記通信制御装置に送信することを特徴とする通信品質測定方法。
【発明の詳細な説明】
【技術分野】
【０００１】
本発明は、通信制御装置から通知される周辺セルを対象にして通信品質を測定して、その測定結果を通信制御装置に報告する端末装置、通信システムおよび通信品質測定方法に関するものである。
【背景技術】
【０００２】
近年、ＬＴＥ（Long Term Evolution）などの様々な無線通信方式が普及しており、現在検討が進められている５Ｇ（次世代移動通信システム）では、低ＳＨＦ帯や高ＳＨＦ帯を利用した無線通信方式が加わることで、端末での接続先の選択肢がさらに広がる。一方、端末において最適な接続先を探し出す接続先探索（セルサーチ）の処理では、接続先の通信品質を測定するが、接続先の選択肢が多いと、通信品質の測定に長時間を要する。そこで、通信品質測定に要する時間を短縮するために測定対象を絞り込むことが考えられる。
【０００３】
このような通信品質の測定対象を絞り込むことに関連する技術として、従来、制御プレーンの基地局（マクロセル基地局）において、端末の位置情報などに基づいて、接続先の候補となる基地局を抽出し、また、履歴データベースに登録された無線周波数ごとの過去の使用実績に基づいて、通信に割り当てる無線周波数の候補を決定する技術が知られている（特許文献１参照）。
【先行技術文献】
【特許文献】
【０００４】
【特許文献１】特開２０１６−１１６０８５号公報
【発明の概要】
【発明が解決しようとする課題】
【０００５】
さて、前記従来の技術では、制御プレーンの基地局において、接続先の候補を絞り込んで端末に通知するため、通信品質の測定対象が限定され、通信品質測定に要する時間を短縮することができる。しかしながら、このような従来の技術では、接続先の選択肢が多くなり、また、端末数が増大すると、制御プレーンの基地局の負荷が増大するという問題があった。
【０００６】
そこで、本発明は、端末装置において通信品質の測定対象を適切に絞り込んで、通信品質測定に要する時間を短縮することができる端末装置、通信システムおよび通信品質測定方法を提供することを主な目的とする。
【課題を解決するための手段】
【０００７】
本発明の端末装置は、通信制御装置から通知される周辺セルを対象にして通信品質を測定して、その測定結果を前記通信制御装置に報告する端末装置であって、前記通信制御装置と通信を行う通信部と、自装置の位置情報を取得する位置情報取得部と、各位置での過去の通信状況に関する通信履歴情報を蓄積する情報格納部と、前記周辺セルに関する情報を前記通信制御装置から受信すると、前記周辺セルを対象にして通信品質を測定して、その測定結果を前記通信制御装置に送信する制御部と、を備え、前記制御部は、自装置が現在在圏する在圏セルが最も広帯域なセルである場合に、第１の測定方式を選択し、前記在圏セルが最も狭帯域なセルである場合に、第２の測定方式を選択し、前記第１の測定方式を選択した場合には、前記周辺セルの全てを対象にして通信品質を測定し、前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定する構成とする。
【０００８】
また、本発明の通信システムは、通信制御装置から端末装置に周辺セルを通知し、前記端末装置において、前記周辺セルを対象にして通信品質を測定して、その測定結果を前記通信制御装置に報告する通信システムであって、前記端末装置は、前記通信制御装置と通信を行う通信部と、自装置の位置情報を取得する位置情報取得部と、各位置での過去の通信状況に関する通信履歴情報を蓄積する情報格納部と、前記周辺セルに関する情報を前記通信制御装置から受信すると、前記周辺セルを対象にして通信品質を測定して、その測定結果を前記通信制御装置に送信する制御部と、を備え、前記制御部は、自装置が現在在圏する在圏セルが最も広帯域なセルである場合に、第１の測定方式を選択し、前記在圏セルが最も狭帯域なセルである場合に、第２の測定方式を選択し、前記第１の測定方式を選択した場合には、前記周辺セルの全てを対象にして通信品質を測定し、前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定する構成とする。
【０００９】
また、本発明の通信品質測定方法は、通信制御装置から通知される周辺セルを対象にして通信品質を測定して、その測定結果を前記通信制御装置に報告する端末装置の通信品質測定方法であって、前記周辺セルに関する情報を前記通信制御装置から受信すると、前記端末装置が現在在圏する在圏セルが最も広帯域なセルである場合に、第１の測定方式を選択し、前記在圏セルが最も狭帯域なセルである場合に、第２の測定方式を選択し、前記第１の測定方式を選択した場合には、前記周辺セルの全てを対象にして通信品質を測定し、前記第２の測定方式を選択した場合には、自装置の現在の位置情報を取得して、その位置情報、および各位置での過去の通信状況に関する通信履歴情報に基づいて、前記周辺セルの少なくとも１つのセルを抽出して、そのセルを対象として通信品質を測定し、前記通信品質の測定結果を前記通信制御装置に送信する構成とする。
【発明の効果】
【００１０】
本発明によれば、第２の測定方式が選択されると、対象を絞り込んで通信品質を測定するため、測定時間を短縮することができる。また、状況に応じて第１の測定方式と第２の測定方式とを切り替えるため、第２の測定方式の場合に適切なセルに遷移できない不具合を避けることができる。
【図面の簡単な説明】
【００１１】
【図１】本実施形態に係る通信システムの全体構成図
【図２】端末１およびマクロセルの基地局２の動作の概要を示すシーケンス図
【図３】通信品質測定の状況を示す説明図
【図４】通信品質測定の状況を示す説明図
【図５】測定方式に応じたセルの遷移状況およびスループットの変化状況を示す説明図
【図６】測定方式に応じたセルの遷移状況およびスループットの変化状況を示す説明図
【図７】端末１の概略構成を示すブロック図
【図８】履歴データベースの登録内容の一例を示す説明図
【図９】測定方式選択部２２で行われる処理の手順を示すフロー図
【図１０】測定対象抽出部２３および通信品質測定部２４で行われる処理の手順を示すフロー図
【図１１】測定方式に応じたセルの遷移状況およびスループットの変化状況を示す説明図
【図１２】測定方式に応じたセルの遷移状況およびスループットの変化状況を示す説明図
【図１３】測定方式に応じたセルの遷移状況およびスループットの変化状況を示す説明図
【図１４】第１の測定方式および第２の測定方式の優劣を示す説明図
【図１５】第２実施形態に係る測定方式選択部２２で行われる処理の手順を示すフロー図
【図１６】第３実施形態に係る測定方式選択部２２で行われる処理の手順を示すフロー図
【図１７】第４実施形態に係る測定方式選択部２２で行われる処理の手順を示すフロー図
【図１８】第５実施形態に係る測定方式選択部２２で行われる処理の手順を示すフロー図
【図１９】第６実施形態に係る測定方式選択部２２で行われる処理の手順を示すフロー図
【発明を実施するための形態】
【００１２】
前記課題を解決するためになされた第１の発明は、通信制御装置から通知される周辺セルを対象にして通信品質を測定して、その測定結果を前記通信制御装置に報告する端末装置であって、前記通信制御装置と通信を行う通信部と、自装置の位置情報を取得する位置情報取得部と、各位置での過去の通信状況に関する通信履歴情報を蓄積する情報格納部と、前記周辺セルに関する情報を前記通信制御装置から受信すると、前記周辺セルを対象にして通信品質を測定して、その測定結果を前記通信制御装置に送信する制御部と、を備え、前記制御部は、自装置が現在在圏する在圏セルが最も広帯域なセルである場合に、第１の測定方式を選択し、前記在圏セルが最も狭帯域なセルである場合に、第２の測定方式を選択し、前記第１の測定方式を選択した場合には、前記周辺セルの全てを対象にして通信品質を測定し、前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定する構成とする。
【００１３】
これによると、第２の測定方式が選択されると、対象を絞り込んで通信品質を測定するため、測定時間を短縮することができる。また、状況に応じて第１の測定方式と第２の測定方式とを切り替えるため、第２の測定方式の場合に適切なセルに遷移できない不具合を避けることができる。
【００１４】
また、第２の発明は、通信制御装置から通知される周辺セルを対象にして通信品質を測定して、その測定結果を前記通信制御装置に報告する端末装置であって、前記通信制御装置と通信を行う通信部と、自装置の位置情報を取得する位置情報取得部と、各位置での過去の通信状況に関する通信履歴情報を蓄積する情報格納部と、前記周辺セルに関する情報を前記通信制御装置から受信すると、前記周辺セルを対象にして通信品質を測定して、その測定結果を前記通信制御装置に送信する制御部と、を備え、前記制御部は、自装置が現在在圏する在圏セルの帯域に関する情報、前記周辺セルの帯域に関する情報、および自装置の近傍に存在するセルの帯域に関する情報の少なくともいずれかに基づいて、第１の測定方式および第２の測定方式のいずれかを選択し、前記第１の測定方式を選択した場合には、前記周辺セルの全てを対象にして通信品質を測定し、前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定する構成とする。
【００１５】
これによると、第２の測定方式が選択されると、対象を絞り込んで通信品質を測定するため、測定時間を短縮することができる。また、状況に応じて第１の測定方式と第２の測定方式とを切り替えるため、第２の測定方式の場合に適切なセルに遷移できない不具合を避けることができる。
【００１６】
また、第３の発明は、前記制御部は、前記自装置の現在の位置情報および前記通信履歴情報に基づいて、前記自装置の近傍に存在するセルの帯域に関する情報を取得する構成とする。
【００１７】
これによると、自装置の近傍に存在するセルの帯域に関する情報を取得することができる。
【００１８】
また、第４の発明は、前記制御部は、前記在圏セルが最も広帯域なセルである場合に、前記第１の測定方式を選択し、前記在圏セルが最も広帯域なセルでない場合に、前記第２の測定方式を選択する構成とする。
【００１９】
これによると、適切な測定方式を選択することができる。
【００２０】
また、第５の発明は、前記制御部は、前記在圏セルが最も広帯域なセルである場合に、前記第１の測定方式を選択し、前記在圏セルが最も狭帯域なセルである場合に、前記第２の測定方式を選択し、前記在圏セルが最も広帯域なセルおよび最も狭帯域なセルのいずれでもなく、かつ、前記在圏セルより広帯域なセルが自装置の近傍に存在しない場合に、前記第１の測定方式を選択し、前記在圏セルが最も広帯域なセルおよび最も狭帯域なセルのいずれでもなく、かつ、前記在圏セルより広帯域なセルが自装置の近傍に存在する場合に、前記第２の測定方式を選択する構成とする。
【００２１】
これによると、適切な測定方式を選択することができる。
【００２２】
また、第６の発明は、前記制御部は、前記在圏セルより広帯域なセルが自装置の近傍に存在しない場合に、前記第１の測定方式を選択し、前記在圏セルより広帯域なセルが自装置の近傍に存在する場合に、前記第２の測定方式を選択する構成とする。
【００２３】
これによると、適切な測定方式を選択することができる。
【００２４】
また、第７の発明は、前記制御部は、前記周辺セルの中に前記在圏セルより広帯域なセルが存在しない場合に、前記第１の測定方式を選択し、前記周辺セルの中に前記在圏セルより広帯域なセルが存在する場合に、前記第２の測定方式を選択する構成とする。
【００２５】
これによると、適切な測定方式を選択することができる。
【００２６】
また、第８の発明は、前記制御部は、前記在圏セルが最も広帯域なセルである場合に、前記第１の測定方式を選択し、前記在圏セルが最も狭帯域なセルである場合に、前記第２の測定方式を選択し、前記在圏セルが最も広帯域なセルおよび最も狭帯域なセルのいずれでもなく、かつ、前記周辺セルの中に前記在圏セルより広帯域なセルが存在しない場合に、前記第１の測定方式を選択し、前記在圏セルが最も広帯域なセルおよび最も狭帯域なセルのいずれでもなく、かつ、前記周辺セルの中に前記在圏セルより広帯域なセルが存在する場合に、前記第２の測定方式を選択する構成とする。
【００２７】
これによると、適切な測定方式を選択することができる。
【００２８】
また、第９の発明は、前記制御部は、前記在圏セルが最も広帯域なセルである場合に、前記第１の測定方式を選択し、前記在圏セルが最も狭帯域なセルである場合に、前記第２の測定方式を選択し、前記在圏セルが最も広帯域なセルおよび最も狭帯域なセルのいずれでもなく、かつ、前記周辺セルの中に前記在圏セルより広帯域なセルが存在しない場合に、前記第１の測定方式を選択し、前記在圏セルが最も広帯域なセルおよび最も狭帯域なセルのいずれでもなく、かつ、前記周辺セルの中に前記在圏セルより広帯域なセルが存在し、かつ、前記在圏セルより広帯域なセルが自装置の近傍に存在しない場合に、前記第１の測定方式を選択し、前記在圏セルが最も広帯域なセルおよび最も狭帯域なセルのいずれでもなく、かつ、前記周辺セルの中に前記在圏セルより広帯域なセルが存在し、かつ、前記在圏セルより広帯域なセルが自装置の近傍に存在する場合に、前記第２の測定方式を選択する構成とする。
【００２９】
これによると、適切な測定方式を選択することができる。
【００３０】
また、第１０の発明は、通信制御装置から端末装置に周辺セルを通知し、前記端末装置において、前記周辺セルを対象にして通信品質を測定して、その測定結果を前記通信制御装置に報告する通信システムであって、前記端末装置は、前記通信制御装置と通信を行う通信部と、自装置の位置情報を取得する位置情報取得部と、各位置での過去の通信状況に関する通信履歴情報を蓄積する情報格納部と、前記周辺セルに関する情報を前記通信制御装置から受信すると、前記周辺セルを対象にして通信品質を測定して、その測定結果を前記通信制御装置に送信する制御部と、を備え、前記制御部は、自装置が現在在圏する在圏セルが最も広帯域なセルである場合に、第１の測定方式を選択し、前記在圏セルが最も狭帯域なセルである場合に、第２の測定方式を選択し、前記第１の測定方式を選択した場合には、前記周辺セルの全てを対象にして通信品質を測定し、前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定する構成とする。
【００３１】
これによると、第１の発明と同様に、端末装置において通信品質の測定対象を適切に絞り込んで、通信品質測定に要する時間を短縮することができる。
【００３２】
また、第１１の発明は、通信制御装置から端末装置に周辺セルを通知し、前記端末装置において、前記周辺セルを対象にして通信品質を測定して、その測定結果を前記通信制御装置に報告する通信システムであって、前記端末装置は、前記通信制御装置と通信を行う通信部と、自装置の位置情報を取得する位置情報取得部と、各位置での過去の通信状況に関する通信履歴情報を蓄積する情報格納部と、前記周辺セルに関する情報を前記通信制御装置から受信すると、前記周辺セルを対象にして通信品質を測定して、その測定結果を前記通信制御装置に送信する制御部と、を備え、前記制御部は、自装置が現在在圏する在圏セルの帯域に関する情報、前記周辺セルの帯域に関する情報、および自装置の近傍に存在するセルの帯域に関する情報の少なくともいずれかに基づいて、第１の測定方式および第２の測定方式のいずれかを選択し、前記第１の測定方式を選択した場合には、前記周辺セルの全てを対象にして通信品質を測定し、前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定する構成とする。
【００３３】
これによると、第２の発明と同様に、端末装置において通信品質の測定対象を適切に絞り込んで、通信品質測定に要する時間を短縮することができる。
【００３４】
また、第１２の発明は、通信制御装置から通知される周辺セルを対象にして通信品質を測定して、その測定結果を前記通信制御装置に報告する端末装置の通信品質測定方法であって、前記周辺セルに関する情報を前記通信制御装置から受信すると、前記端末装置が現在在圏する在圏セルが最も広帯域なセルである場合に、第１の測定方式を選択し、前記在圏セルが最も狭帯域なセルである場合に、第２の測定方式を選択し、前記第１の測定方式を選択した場合には、前記周辺セルの全てを対象にして通信品質を測定し、前記第２の測定方式を選択した場合には、自装置の現在の位置情報を取得して、その位置情報、および各位置での過去の通信状況に関する通信履歴情報に基づいて、前記周辺セルの少なくとも１つのセルを抽出して、そのセルを対象として通信品質を測定し、前記通信品質の測定結果を前記通信制御装置に送信する構成とする。
【００３５】
これによると、第１の発明と同様に、端末装置において通信品質の測定対象を適切に絞り込んで、通信品質測定に要する時間を短縮することができる。
【００３６】
また、第１３の発明は、通信制御装置から通知される周辺セルを対象にして通信品質を測定して、その測定結果を前記通信制御装置に報告する端末装置の通信品質測定方法であって、前記周辺セルに関する情報を前記通信制御装置から受信すると、自装置が現在在圏する在圏セルの帯域に関する情報、前記周辺セルの帯域に関する情報、および自装置の近傍に存在するセルの帯域に関する情報の少なくともいずれかに基づいて、第１の測定方式および第２の測定方式のいずれかを選択し、前記第１の測定方式を選択した場合には、前記周辺セルの全てを対象にして通信品質を測定し、前記第２の測定方式を選択した場合には、自装置の現在の位置情報を取得して、その位置情報、および各位置での過去の通信状況に関する通信履歴情報に基づいて、前記周辺セルの少なくとも１つのセルを抽出して、そのセルを対象として通信品質を測定し、前記通信品質の測定結果を前記通信制御装置に送信する構成とする。
【００３７】
これによると、第２の発明と同様に、端末装置において通信品質の測定対象を適切に絞り込んで、通信品質測定に要する時間を短縮することができる。
【００３８】
以下、本発明の実施の形態を、図面を参照しながら説明する。
【００３９】
（第１実施形態）
図１は、本実施形態に係る通信システムの全体構成図である。
【００４０】
この通信システムは、端末１と、マクロセルの基地局２（通信制御装置）と、スモールセルの基地局３と、スポットセルの基地局４と、を備えている。スモールセルはマクロセルに重畳して配置され、スポットセルはマクロセルおよびスモールセルに重畳して配置される。
【００４１】
端末１は、スマートフォンやタブレット端末などである。この端末１は、マクロセルの基地局２、スモールセルの基地局３、およびスポットセルの基地局４と通信を行うことができる。
【００４２】
マクロセルの基地局２は、ＬＴＥ（Long Term Evolution）などのＵＨＦ帯を利用した無線通信を行うものである。このマクロセルの基地局２は、制御信号を伝送するための制御プレーン（Ｃ−Ｐｌａｎｅ）の基地局となる。なお、マクロセルの基地局２は、ユーザデータを伝送するためのユーザプレーン（Ｕ−Ｐｌａｎｅ）の基地局として使用される場合もある。
【００４３】
スモールセルの基地局３は、低ＳＨＦ帯を利用した無線通信を行うものである。スポットセルの基地局４は、高ＳＨＦ帯を利用した無線通信を行うものである。このスモールセルの基地局３およびスポットセルの基地局４は、ユーザデータを伝送するためのユーザプレーン（Ｕ−Ｐｌａｎｅ）の基地局となる。
【００４４】
なお、スポットセルの基地局４は、ＥＨＦ帯を利用した無線通信を行うものであってもよい。また、スモールセルの基地局３およびスポットセルの基地局４は、ＷｉＦｉ（登録商標）やＷｉＧｉｇ（登録商標）などの無線ＬＡＮ通信を行うものであってもよい。
【００４５】
次に、端末１およびマクロセルの基地局２の動作について説明する。図２は、端末１およびマクロセルの基地局２の動作の概要を示すシーケンス図である。
【００４６】
マクロセルの基地局２では、まず、対象となる端末１の周辺セル、すなわち、その端末１と接続可能なセルを、接続先候補としてリストアップする。そして、その周辺セルに関する情報を含む測定制御（Measurement Control）のメッセージを端末１に送信する。
【００４７】
端末１では、マクロセルの基地局２から送信される測定制御（Measurement Control）のメッセージを受信すると、まず、在圏セル（端末１が現在在圏するセル）などの情報に基づいて、通信品質の測定方式を選択する。次に、選択された測定方式に応じて、通信品質の測定対象とするセルを抽出する。次に、選択された測定方式に応じて、抽出したセル、または測定制御のメッセージで通知された周辺セルの全てを対象にして、通信品質（受信電力）の測定を実施する。そして、その通信品質の測定結果に関する報告情報を含む測定報告（Measurement Report）のメッセージをマクロセルの基地局２に送信する。
【００４８】
マクロセルの基地局２では、端末１から送信される測定報告（Measurement Report）のメッセージを受信すると、そのメッセージに含まれる報告情報に基づいて、対象となる端末１の接続先となるセルを決定して、ハンドオーバに関する制御を進める。このとき、測定報告のメッセージで端末１から１つのセルのみの測定結果が通知されると、そのセルを接続先として決定し、端末１から複数のセルの測定結果が通知されると、通信品質の最も良好なセルを接続先として決定する。
【００４９】
次に、端末１で行われる通信品質測定について説明する。図３および図４は、通信品質測定の状況を示す説明図である。
【００５０】
図３に示す例では、セルＡ（例えばマクロセル）に、セルＡより広帯域なセルＢ（例えばスモールセルやスポットセル）が重畳されている。図４に示す例では、セルＡ（例えばマクロセル）に、セルＡより広帯域なセルＢ，Ｃ（例えばスモールセルやスポットセル）が重畳されている。この図３および図４に示す例では、端末１が、セルＡの通信エリアに位置している状態からセルＢの通信エリアに移動するものとする。
【００５１】
図３に示す例では、セルＡ，Ｂの２つのセルが周辺セルとなり、図４に示す例では、セルＡ，Ｂ，Ｃの３つのセルが周辺セルとなる。ここで、周辺セルのうち在圏セル（端末１が現在在圏するセル）については、すでに通信品質（電波強度）が既知であるため、通信品質の測定対象とならない。したがって、図３に示す例では、１つのセル（１周波）を対象として通信品質測定が行われ、図４に示す例では、２つのセル（２周波）を対象として通信品質測定が行われる。
【００５２】
端末１がセルＡに在圏している状態（初期位置）で、測定制御（Measurement Control）のメッセージを受信して、通信品質測定が開始される。ここで、端末１がセルＢの通信エリア外に位置する状態では、セル検出の条件、すなわち、通信品質測定が可能な程度に電波強度が高い状態（受信電力＞−１２５ｄＢ／１５ＫＨｚ）を満たさないが、端末１がセルＢの通信エリア内に入ると、セル検出の条件を満たす状態となり、所定回数（例えば８回）連続してセル検出の条件を満たすと、セルが検出されたものと判定して、セルの測定結果を含む測定報告（Measurement Report）のメッセージを送信する。そして、基地局から送信されるハンドオーバのメッセージに応じて、Ｕ−Ｐｌａｎｅ接続先がセルＡからセルＢに切り替えられて、セルＢを経由したユーザデータの通信が開始される。
【００５３】
ここで、通信品質測定は、ユーザデータの通信などの中心的な処理と平行して、バッググラウンドで実施され、例えば４８０msecの中の６０msecが通信品質測定に割り当てられている。また、この６０msecの測定で受信電力が所定のしきい値を超えた状態が８回連続した場合に、セルが検出されたものと判定することから、１つのセルを検出するために、４８０msec×８＝３．８４secの時間が必要である。
【００５４】
したがって、図３に示すように、１つのセル（１周波数）を対象として通信品質測定を行う場合には、通信品質測定に要する時間は３．８４secとなる。一方、図４に示すように、２つのセル（２周波）を対象として通信品質測定を行う場合には、通信品質測定に要する時間は７．６８sec（３．８４sec×２）となる。また、図示しないが、周辺セルが４つ存在し、在圏セルを除く３つのセルを対象として通信品質測定を行う場合には、通信品質測定に要する時間は１５．３６sec（３．８４sec×３）となる。
【００５５】
なお、図４に示すように、複数のセルを対象として通信品質測定を行う場合には、６０msecの測定を、対象となるセル（周波数）を変更しながら順に行い、この１回分の測定が８回繰り返される。
【００５６】
このように、通信品質の測定対象が少ない方が、通信品質測定に要する時間が短くて済む。
【００５７】
そこで、本実施形態では、通信品質の測定対象を１つに絞り込む制御を行う。これにより、測定時間を短縮することができるため、ハンドオーバを短時間で完了させて、スループットを早期に上昇させることができる。
【００５８】
また、本実施形態では、各位置での接続セル（端末１が接続したセル）を通信履歴情報として蓄積して、その通信履歴情報と端末１の位置情報とに基づいて、端末１の現在位置において過去に通信を行ったときの接続セルを、通信品質の測定対象として抽出して、そのセルのみを対象にして通信品質測定を行う。
【００５９】
次に、測定方式に応じたセルの遷移状況について説明する。図５および図６は、測定方式に応じたセルの遷移状況およびスループットの変化状況を示す説明図である。
【００６０】
本実施形態では、前記のように、通信品質の測定対象を１つに絞り込む制御を行うが、この測定対象を絞り込む方式は、以下に説明するように、マクロセルの基地局２から送信された測定制御（Measurement Control）のメッセージで通知された周辺セルの全てを対象にして通信品質測定を行う標準的な方式より劣る場合がある。
【００６１】
ここで本実施形態では、通知された周辺セルの全てを対象にして通信品質測定を行う標準的な方式を、第１の測定方式とし、通信品質の測定対象を１つに絞り込んで通信品質測定を行う方式を、第２の測定方式とする。
【００６２】
図５に示す例は、接続先が狭帯域のセルから広帯域のセルに順次遷移する場合、具体的には、接続先がマクロセル、スモールセル、スポットセルの順に遷移する場合である。
【００６３】
図５（Ａ−１）、（Ａ−２）に示す例は、在圏セルを除く周辺セル（接続先候補）として２つのセル、具体的には、１つのスモールセルおよび１つのスポットセルが、基地局から端末に通知された場合である。
【００６４】
この場合、第１の測定方式では、マクロセルからスモールセルに遷移する際に、在圏セルを除く周辺セルとしてスモールセルおよびスポットセルの２つのセルが通知されるため、この２つのセルを対象にして測定が行われ、測定に７．６８secの時間を要する。次に、スモールセルからスポットセルに遷移する際に、在圏セルを除く周辺セルとして１つのセル（スポットセル）が通知されるため、この１つのセルを対象にして測定が行われ、測定に３．８４secの時間を要する。
【００６５】
一方、第２の測定方式では、マクロセルからスモールセルに遷移する際に、測定対象としてスモールセルが１つだけ選択されて、この１つのセルを対象にして測定が行われるため、測定時間は３．８４secとなり、第１の測定方式より測定時間を短縮することができる。次に、スモールセルからスポットセルに遷移する際に、測定対象としてスポットセルが１つだけ選択されて、この１つのセルを対象にして測定が行われるため、第１の測定方式と同様に、測定時間は３．８４secとなる。
【００６６】
図５（Ｂ−１）、（Ｂ−２）に示す例は、在圏セルを除く周辺セル（接続先候補）として４つのセル、具体的には、２つのスモールセルおよび２つのスポットセルが、基地局から端末に通知された場合である。
【００６７】
この場合、第１の測定方式では、マクロセルからスモールセルに遷移する際に、在圏セルを除く周辺セルとして４つのセル（２つのスモールセルおよび２つのスポットセル）が通知されるため、この４つのセルを対象にして測定が行われ、測定時間は１５．３６secとなる。次に、スモールセルからスポットセルに遷移する際に、在圏セルを除く周辺セルとして３つのセル（１つのスモールセルおよび２つのスポットセル）が通知されるため、この３つのセルを対象にして測定が行われ、測定時間は１１．５２secとなる。
【００６８】
一方、第２の測定方式では、マクロセルからスモールセルに遷移する際に、測定対象としてスモールセルが１つだけ選択されて、この１つのセルを対象にして測定が行われるため、測定時間は３．８４secとなり、第１の測定方式より測定時間を短縮することができる。次に、スモールセルからスポットセルに遷移する際に、測定対象としてスポットセルが１つだけ選択されて、この１つのセルを対象にして測定が行われるため、測定時間は３．８４secとなり、第１の測定方式より測定時間を短縮することができる。
【００６９】
このように、接続先が狭帯域のセルから広帯域なセルに遷移する場合には、第２の測定方式を採用することで、測定時間を短縮することができ、スループットを速やかに上昇させることができる。また、マクロセルの基地局２から通知される周辺セルの数が増えると、測定時間を短縮する効果が大きくなる。
【００７０】
図６に示す例は、接続先が広帯域のセルから狭帯域のセルに順次遷移する場合、具体的には、接続先がスポットセル、スモールセル、マクロセルの順に遷移する場合である。
【００７１】
図６（Ａ−１）、（Ａ−２）に示す例は、在圏セルを除く周辺セル（接続先候補）として１つのセル、具体的には、１つのスモールセルが通知された場合である。
【００７２】
この場合、第１の測定方式では、スポットセルに在圏している際に、在圏セルを除く周辺セルとしてスモールセルが通知され、このスモールセルを対象にして測定が行われる。このため、スポットセルの圏外となるタイミングで、接続先がスモールセルに遷移する。次に、スモールセルに在圏している際に、在圏セルであるスモールセルを除く周辺セルはないため、測定は行われず、スモールセルの圏外となるタイミングで、接続先がマクロセルに遷移する。
【００７３】
一方、第２の測定方式では、スポットセルに在圏している際に、在圏セルであるスポットセルの測定は行われず、また、スモールセルの測定も行われないため、スポットセルの圏外となるタイミングで、接続先がマクロセルに遷移する。そして、マクロセルに在圏している際に、測定対象としてスモールセルが選択されて、このスモールセルを対象にして測定（測定時間：３．８４sec）が行われた後に、スモールセルに遷移する。次に、第１の測定方式と同様にして、スモールセルの圏外となるタイミングで、接続先がマクロセルに遷移する。
【００７４】
図６（Ｂ−１）、（Ｂ−２）に示す例は、在圏セルを除く周辺セル（接続先候補）として３つのセル、具体的には、２つのスモールセルおよび１つのスポットセルが通知された場合である。
【００７５】
この場合、第１の測定方式では、通知される周辺セルの数が図６（Ａ）に示す例と異なるが、セルの遷移状況およびスループットの変化状況は図６（Ａ）に示す例と同様である。また、第２の測定方式でも、図６（Ａ）に示す例と同様である。
【００７６】
このように、接続先が広帯域のセルから狭帯域のセルに遷移する場合、第２の測定方式では、広帯域のセルに在圏している状態では、測定対象として広帯域のセルが優先的に選択され、狭帯域のセルの測定が行われないため、スポットセルからスモールセルに遷移する際に、スモールセルに直接遷移することができず、一旦、マクロセルに遷移した後にスモールセルに遷移する。このため、一時的にスループットが低下する問題が生じる。これは、周辺セルの数が増えても変わりない。
【００７７】
以上のように、接続先が狭帯域のセルから広帯域のセルに遷移する場合には、第２の測定方式の方が、スループットを速やかに上昇させることができるため、第１の測定方式より優れているが、接続先が広帯域のセルから狭帯域のセルに遷移する場合には、第２の測定方式において、一時的にスループットが低下する問題が生じることから、第１の測定方式の方が第２の測定方式より優れている。
【００７８】
そこで、本実施形態では、在圏セル（端末１が現在在圏するセル）に応じて場合分けして、第２の測定方式が優位となる状況で、できるだけ第２の測定方式が選択されるように測定方式を選択する。特に本実施形態では、端末１がスポットセル、すなわち、最も広帯域なセルに在圏するか否かに応じて、測定方式を選択する。具体的には、端末１がスポットセルに在圏する場合には第１の測定方式を選択し、端末１がスポットセルに在圏しない場合、すなわち端末１がマクロセルまたはスモールセルに在圏する場合には、第２の測定方式を選択する。
【００７９】
次に、端末１の概略構成について説明する。図７は、端末１の概略構成を示すブロック図である。
【００８０】
端末１は、通信部１１と、位置情報取得部１２と、制御部１３と、情報格納部１４と、を備えている。
【００８１】
通信部１１は、マクロセルの基地局２、スモールセルの基地局３、およびスポットセルの基地局４との間で通信を行う。
【００８２】
位置情報取得部１２は、ＧＰＳ（Global Positioning System）衛星測位システムなどにより端末１の位置情報を取得する。
【００８３】
情報格納部１４は、制御部１３で管理される履歴データベースに関する情報や、制御部１３を構成するプロセッサで実行されるプログラムなどを格納する。履歴データベースには、通信エリアの各位置での過去の通信状況に関する通信履歴情報が登録されている。
【００８４】
制御部１３は、通信制御部２１と、測定方式選択部２２と、測定対象抽出部２３と、通信品質測定部２４と、履歴登録部２５と、を備えている。この制御部１３はプロセッサで構成され、制御部１３の各部は、情報格納部１４に格納された所定のプログラムをプロセッサに実行させることで実現される。
【００８５】
通信制御部２１は、通信部１１で行われるマクロセルの基地局２、スモールセルの基地局３、およびスポットセルの基地局４との間での通信を制御する。
【００８６】
測定方式選択部２２は、在圏セル（端末１が現在在圏するセル）に関する情報を通信制御部２１から取得して、その在圏セルに基づいて、通信品質の測定方式（第１の測定方式および第２の測定方式）を選択する。
【００８７】
測定対象抽出部２３は、測定方式選択部２２で第２の測定方式が選択された場合に、位置情報取得部１２から取得した端末１の現在位置における通信履歴情報を、情報格納部１４の履歴データベースから取得して、その端末１の現在位置における通信履歴情報に基づいて、通信品質の測定対象とするセルを抽出する。
【００８８】
通信品質測定部２４は、測定方式選択部２２で第１の測定方式が選択された場合に、マクロセルの基地局２から送信された測定制御（Measurement Control）のメッセージで通知された周辺セルの全てを対象にして通信品質（受信電力など）を測定する。また、測定方式選択部２２で第２の測定方式が選択された場合に、測定対象抽出部２３で抽出されたセルを対象にして通信品質（受信電力など）を測定する。
【００８９】
履歴登録部２５は、現在の通信状況に関する情報（接続先情報および通信品質情報）を取得して、その情報を、位置情報取得部１２で取得した端末１の現在位置における通信履歴情報として履歴データベースに登録する。この履歴登録処理を周期的に行うことで、端末１が通過した全ての位置での通信履歴情報を履歴データベースに登録することができる。
【００９０】
次に、履歴データベースについて説明する。図８は、履歴データベースの登録内容の一例を示す説明図である。
【００９１】
履歴データベースには、各位置における接続先情報として、接続先識別子、周波数および通信方式が登録され、また、通信品質情報として、受信電力、スループットおよび通信データ量が登録されている。ここで、接続先識別子は、接続先のセル（基地局２〜４）の識別情報（セルＩＤなど）である。
【００９２】
なお、通信品質情報は、受信電力、スループットおよび通信データ量に限定されるものではなく、干渉量、切断率、誤り率、接続率などを登録するようにしてもよい。
【００９３】
また、時間帯ごとに履歴情報を履歴データベースに登録するようにしてもよい。これにより、時間帯に応じて最適な接続先が異なる場合に、最適な接続先に接続することが可能となる。
【００９４】
また、端末１が過去に通過したことがない区域では通信の実績がないため、このような区域には履歴情報が登録されていない。この場合、履歴情報が登録されていない区域の周辺の履歴情報を用いて履歴情報の補間を行うようにしてもよい。
【００９５】
また、履歴データベースを他の端末１と共有するようにしてもよい。例えば、各端末１の履歴情報をサーバにアップロードして、サーバにおいて、各端末１の履歴情報を統合して、その統合された履歴情報を各端末１に配信する。これにより、端末１が過去に通過したことがない区域の履歴情報を利用することができる。
【００９６】
また、位置は緯度、経度および高度や独自の座標で規定されるものとしてもよいが、マクロセル、スモールセルおよびスポットセルの通信エリアの全てを含むエリアを対象にして、所定の形状（例えば正方形、円、楕円）の均一な大きさのメッシュを設定して、このメッシュ単位で履歴情報を登録するようにしてもよい。
【００９７】
次に、測定方式選択部２２で行われる処理について説明する。図９は、測定方式選択部２２で行われる処理の手順を示すフロー図である。
【００９８】
測定方式選択部２２では、まず、端末１がスポットセルに在圏するか否かを判定する（ＳＴ１０１）。ここで、端末１がスポットセルに在圏する場合には（ＳＴ１０１でＹｅｓ）、第１の測定方式を選択する（ＳＴ１０２）。一方、端末１がスポットセルに在圏しない場合（ＳＴ１０１でＮｏ）、すなわち端末１がマクロセルまたはスモールセルに在圏する場合には、第２の測定方式を選択する（ＳＴ１０３）。
【００９９】
次に、測定対象抽出部２３および通信品質測定部２４で行われる処理について説明する。図１０は、測定対象抽出部２３および通信品質測定部２４で行われる処理の手順を示すフロー図である。
【０１００】
図１０（Ａ）に示すように、第１の測定方式では、通信品質測定部２４において、マクロセルの基地局２から送信された測定制御（Measurement Control）のメッセージで通知された周辺セルのすべてを対象にして通信品質測定を実施する（ＳＴ２０１）。
【０１０１】
また、図１０（Ｂ）に示すように、第２の測定方式では、まず、測定対象抽出部２３において、位置情報取得部１２から端末１の現在位置を取得する（ＳＴ２１１）。次に、情報格納部１４の履歴データベースから、端末１の現在位置の通信履歴情報、具体的には、端末１の現在位置における過去の接続セル（端末１が過去に接続したセル）と、その接続セルに関する過去の通信品質情報と、を取得する（ＳＴ２２２）。
【０１０２】
次に、過去の接続セルで、要求される通信品質を満足し、かつ、測定制御のメッセージで通知された周辺セルの中にあるセルを、通信品質の測定対象として抽出する（ＳＴ２２３）。そして、通信品質測定部２４において、測定対象抽出部２３で抽出したセルを対象にして通信品質測定を実施する（ＳＴ２２４）。
【０１０３】
（第２実施形態）
次に、第２実施形態について説明する。なお、ここで特に言及しない点は前記の実施形態と同様である。図１１、図１２および図１３は、測定方式に応じたセルの遷移状況およびスループットの変化状況を示す説明図である。図１４は、第１の測定方式および第２の測定方式の優劣を示す説明図である。図１５は、第２実施形態に係る測定方式選択部２２で行われる処理の手順を示すフロー図である。
【０１０４】
図１１は、端末１がスポットセルに在圏している場合である。この場合、図１１（Ａ−１）に示すように、接続先がスポットセルから別のスポットセルに遷移する場合と、図１１（Ｂ−１）に示すように、接続先がスポットセルからスモールセルに遷移する場合と、図１１（Ｃ−１）に示すように、接続先がスポットセルからマクロセルに遷移する場合とがある。
【０１０５】
図１１（Ａ−１）に示すように、接続先がスポットセルから別のスポットセルに遷移する場合、図１１（Ａ−２）に示すように、第１の測定方式の場合も第２の測定方式の場合も、接続先がスポットセルから直接、別のスポットセルに遷移する。このため、第１の測定方式と第２の測定方式とで変わりない。
【０１０６】
図１１（Ｂ−１）に示すように、接続先がスポットセルからスモールセルに遷移する場合、図１１（Ｂ−２）に示すように、第１の測定方式では、接続先がスポットセルから直接、スモールセルに遷移する。一方、第２の測定方式では、接続先がスポットセルから一旦、マクロセルに遷移した後に、スモールセルに遷移する。このため、第１の測定方式が第２の測定方式より優れている。
【０１０７】
図１１（Ｃ−１）に示すように、接続先がスポットセルからマクロセルに遷移する場合、図１１（Ｃ−２）に示すように、第１の測定方式および第２の測定方式では、同様に、接続先がスポットセルからマクロセルに遷移する。このため、第１方式と第２方式とで変わりない。
【０１０８】
図１２は、端末１がスモールセルに在圏している場合である。この場合、図１２（Ａ−１）に示すように、接続先がスモールセルから別のスモールセルに遷移する場合と、図１２（Ｂ−１）に示すように、接続先がスモールセルからスポットセルに遷移する場合と、図１２（Ｃ−１）に示すように、接続先がスモールセルからマクロセルに遷移する場合とがある。
【０１０９】
図１２（Ａ−１）に示すように、接続先がスモールセルから別のスモールセルに遷移する場合、図１２（Ａ−２）に示すように、第１の測定方式の場合も第２の方式の場合も、接続先がスモールセルから直接、別のスモールセルに遷移する。このため、第１の測定方式と第２の測定方式とで変わりない。
【０１１０】
図１２（Ｂ−１）に示すように、接続先がスモールセルからスポットセルに遷移する場合、図１２（Ｂ−２）に示すように、第１の測定方式および第２の測定方式では、同様に、接続先がスモールセルからスポットセルに遷移するが、第１の測定方式では、測定対象となるセルが２つ（スポットセルと別のスモールセル）となるため、測定時間が長くなる。一方、第２の測定方式では、測定対象となるセルが１つ（スポットセル）となるため、測定時間が短くなる。このため、第２の測定方式が第１の測定方式より優れている。
【０１１１】
図１２（Ｃ−１）に示すように、接続先がスモールセルからマクロセルに遷移する場合、図１２（Ｃ−２）に示すように、第１の測定方式および第２の測定方式では、同様に、接続先がスモールセルからマクロセルに遷移する。このため、第１方式と第２方式とで変わりない。
【０１１２】
図１３は、端末１がマクロセルに在圏している場合である。この場合、図１３（Ａ−１）に示すように、接続先がマクロセルから別のマクロセルに遷移する場合と、図１３（Ｂ−１）に示すように、接続先がマクロセルからスポットセルに遷移する場合と、図１３（Ｃ−１）に示すように、接続先がマクロセルからスモールセルに遷移する場合とがある。
【０１１３】
図１３（Ａ−１）に示すように、接続先がマクロセルから別のマクロセルに遷移する場合、図１３（Ａ−２）に示すように、第１の測定方式および第２の測定方式では、同様に、接続先がマクロセルから別のマクロセルに遷移する。このため、第１方式と第２方式とで変わりない。
【０１１４】
図１３（Ｂ−１）に示すように、接続先がマクロセルからスポットセルに遷移する場合、図１３（Ｂ−２）に示すように、第１の測定方式では、測定対象となるセルが２つとなるため、測定時間が長くなる。一方、第２の測定方式では、測定対象となるセルが１つとなるため、測定時間が短くなる。このため、第２の測定方式が第１の測定方式より優れている。
【０１１５】
図１３（Ｃ−１）に示すように、接続先がマクロセルからスモールセルに遷移する場合、図１３（Ｃ−２）に示すように、第１の測定方式では、測定対象となるセルが２つとなるため、測定時間が長くなる。一方、第２の測定方式では、測定対象となるセルが１つとなるため、測定時間が短くなる。このため、第２の測定方式が第１の測定方式より優れている。
【０１１６】
以上のように、在圏セルと遷移先のセルとの組み合わせに応じて、第１の測定方式が優位な場合と第２の測定方式が優位な場合とがあり、これをまとめると図１４に示すようになる。
【０１１７】
端末１がスポットセルに在圏している場合には、第１の測定方式が優れているかまたは同等である。また、端末１がスモールセルまたはマクロセルに在圏している場合には、第２の測定方式が優れているかまたは同等である。
【０１１８】
また、在圏セルと遷移先のセルとの帯域を比較すると、接続先が在圏セルより広帯域なセルに遷移する場合には、第２の測定方式が優れている。一方、接続先が在圏セルより狭帯域のセルに遷移する場合には、第１の測定方式が優れているかまたは同等である。接続先が在圏セルと同帯域の場合は同等である。
【０１１９】
したがって、接続先が在圏セルより広帯域なセルに遷移する可能性が高い場合には、第２の測定方式を選択するとよく、接続先が在圏セルより広帯域なセルに遷移する可能性が低い場合には、第１の測定方式を選択するとよい。
【０１２０】
また、広帯域なセルに遷移する可能性は、端末１の近傍に広帯域なセルが存在するか否かで判断することができる。したがって、端末１の近傍に広帯域なセルが存在する場合には、第２の測定方式を選択するとよく、端末１の近傍に広帯域なセルが存在しない場合には、第１の測定方式を選択するとよい。
【０１２１】
そこで、本実施形態では、端末１がスポットセルに在圏している場合には、第１の測定方式を選択し、端末１がマクロセルに在圏している場合には、第２の測定方式を選択する。一方、端末１がスモールセルに在圏している場合には、端末１の近傍にスポットセルが存在するか否かを判定し、端末１の近傍にスポットセルが存在する場合には、第２の測定方式を選択し、端末１の近傍にスポットセルが存在しない場合には、第１の測定方式を選択する。
【０１２２】
ここで、端末１の近傍に広帯域なセルが存在するか否かに関する判定は、履歴データベースに登録された通信履歴情報を用いて行う。履歴データベースには、各位置での過去の接続セル（端末１が過去に接続したセル）と、その接続セルの無線通信方式が登録されており、この情報に基づいて、端末１の現在位置の近傍に広帯域なセルが存在するか否かを判定することができる。
【０１２３】
具体的には、図１５に示すように、測定方式選択部２２において、まず、端末１がマクロセル、スモールセルおよびスポットセルのいずれに在圏するかを判定する（ＳＴ１１１）。
【０１２４】
ここで、端末１がスポットセルに在圏する場合には（ＳＴ１１１でスポットセル）、第１の測定方式を選択する（ＳＴ１０２）。また、端末１がマクロセルに在圏する場合には（ＳＴ１１１でマクロセル）、第２の測定方式を選択する（ＳＴ１０３）。
【０１２５】
一方、端末１がスモールセルに在圏する場合には（ＳＴ１１１でスモールセル）、位置情報取得部１２から端末１の現在位置を取得する（ＳＴ１１２）。次に、情報格納部１４の履歴データベースから、端末１の現在位置の近傍の通信履歴情報、具体的には、端末１の現在位置の近傍における過去の接続セル（端末１が過去に接続したセル）と、その接続セルの無線通信方式を取得する（ＳＴ１１３）。そして、端末１の現在位置の近傍に、広帯域セル、すなわち、在圏セル（端末１が現在在圏するセル）より広帯域なスポットセルがあるか否かを判定する（ＳＴ１１４）。
【０１２６】
ここで、端末１の現在位置の近傍に広帯域セルが存在しない場合（ＳＴ１１４でＮｏ）、すなわち、マクロセルまたはスモールセルしか存在しない場合には、第１の測定方式を選択する（ＳＴ１０２）。一方、端末１の現在位置の近傍に広帯域セルが存在する場合には（ＳＴ１１４でＹｅｓ）、第２の測定方式を選択する（ＳＴ１０３）。
【０１２７】
なお、端末１の現在位置の近傍に広帯域セルが存在する場合でも、端末１の移動方向と大きく異なる方向に広帯域セルが存在する場合には、接続先が広帯域セルに遷移する可能性が低いため、端末１の移動方向も考慮して、測定方式を選択するようにしてもよい。すなわち、端末１の移動方向の近傍に広帯域セルが存在する場合には、第２の測定方式を選択し、端末１の移動方向の近傍に広帯域セルが存在しない場合には、第１の測定方式を選択する。
【０１２８】
（第３実施形態）
次に、第３実施形態について説明する。なお、ここで特に言及しない点は前記の実施形態と同様である。図１６は、第３実施形態に係る測定方式選択部２２で行われる処理の手順を示すフロー図である。
【０１２９】
本実施形態では、第２実施形態（図１５参照）における在圏セルの種類（帯域）に基づく場合分けの判定を省略して、通信履歴情報および位置情報に基づく広帯域セルの有無に関する判定のみで、測定方式を選択するようにしている。
【０１３０】
具体的には、図１６に示すように、まず、測定方式選択部２２において、位置情報取得部１２から端末１の現在位置を取得する（ＳＴ１１２）。次に、情報格納部１４の履歴データベースから、端末１の現在位置の近傍の通信履歴情報、具体的には、端末１の現在位置の近傍における過去の接続セルと、その接続セルの無線通信方式を取得する（ＳＴ１１３）。そして、端末１の現在位置の近傍に、広帯域セル、すなわち、在圏セルより広帯域なセルがあるか否かを判定する（ＳＴ１１４）。
【０１３１】
ここで、端末１の現在位置の近傍に広帯域セルが存在しない場合（ＳＴ１１４でＮｏ）、第１の測定方式を選択する（ＳＴ１０２）。一方、端末１の現在位置の近傍に広帯域セルが存在する場合には（ＳＴ１１４でＹｅｓ）、第２の測定方式を選択する（ＳＴ１０３）。
【０１３２】
（第４実施形態）
次に、第４実施形態について説明する。なお、ここで特に言及しない点は前記の実施形態と同様である。図１７は、第４実施形態に係る測定方式選択部２２で行われる処理の手順を示すフロー図である。
【０１３３】
マクロセルの基地局２から送信された測定制御（Measurement Control）のメッセージ（通知情報）により、周辺セル（端末１の接続先の候補となるセル）が端末１に通知され、この周辺セルの中に、広帯域セル、すなわち、在圏セル（端末１が現在在圏するセル）より広帯域なセルがある場合には、そのセルに接続する可能性がある。そこで、本実施形態では、周辺セルに基づいて広帯域セルの有無を判定して測定方式を選択する。
【０１３４】
具体的には、図１７に示すように、測定方式選択部２２において、まず、マクロセルの基地局２から送信された測定制御（Measurement Control）のメッセージで通知された周辺セルの中に、広帯域セル、すなわち、在圏セルより広帯域なセルがあるか否かを判定する（ＳＴ１２１）。
【０１３５】
ここで、周辺セルの中に広帯域セルがない場合には（ＳＴ１２１でＮｏ）、第１の測定方式を選択する（ＳＴ１０２）。一方、周辺セルの中に広帯域セルがある場合には（ＳＴ１２１でＹｅｓ）、第２の測定方式を選択する（ＳＴ１０３）。
【０１３６】
（第５実施形態）
次に、第５実施形態について説明する。なお、ここで特に言及しない点は前記の実施形態と同様である。図１８は、第５実施形態に係る測定方式選択部２２で行われる処理の手順を示すフロー図である。
【０１３７】
本実施形態では、在圏セルの種類（帯域）に基づく場合分けの判定と、マクロセルの基地局から通知される周辺セルに基づく広帯域セルの有無に関する判定と、を組み合わせて測定方式を選択するようにしている。
【０１３８】
具体的には、図１８に示すように、測定方式選択部２２において、まず、端末１がマクロセル、スモールセルおよびスポットセルのいずれに在圏するかを判定する（ＳＴ１１１）。
【０１３９】
ここで、端末１がスポットセルに在圏する場合には（ＳＴ１１１でスポットセル）、第１の測定方式を選択する（ＳＴ１０２）。また、端末１がマクロセルに在圏する場合には（ＳＴ１１１でマクロセル）、第２の測定方式を選択する（ＳＴ１０３）。
【０１４０】
一方、端末１がスモールセルに在圏する場合には（ＳＴ１１１でスモールセル）、次に、マクロセルの基地局２から送信された測定制御（Measurement Control）のメッセージで通知された周辺セルの中に、広帯域セル、すなわち、在圏セルより広帯域なセルがあるか否かを判定する（ＳＴ１２１）。
【０１４１】
ここで、周辺セルの中に広帯域セルがない場合には（ＳＴ１２１でＮｏ）、第１の測定方式を選択する（ＳＴ１０２）。一方、周辺セルの中に広帯域セルがある場合には（ＳＴ１２１でＹｅｓ）、第２の測定方式を選択する（ＳＴ１０３）。
【０１４２】
（第６実施形態）
次に、第６実施形態について説明する。なお、ここで特に言及しない点は前記の実施形態と同様である。図１９は、第６実施形態に係る測定方式選択部２２で行われる処理の手順を示すフロー図である。
【０１４３】
本実施形態では、在圏セルの種類（帯域）に基づく場合分けの判定と、マクロセルの基地局２から通知される周辺セルに基づく広帯域セルの有無に関する判定と、通信履歴情報および位置情報に基づく広帯域セルの有無に関する判定と、を組み合わせて測定方式を選択するようにしている。
【０１４４】
ここで、マクロセルの基地局２から通知される周辺セルには、端末１から離れているためセル検出ができないセルも含まれ、このようなセルは広帯域セルであっても、端末１の接続先には不適である。このため、周辺セルに基づく広帯域セルの有無に関する判定と、通信履歴情報および位置情報に基づく広帯域セルの有無に関する判定と、を組み合わせて測定方式を選択することに意義がある。
【０１４５】
また、通信履歴情報および位置情報に基づく広帯域セルの有無に関する判定は、周辺セルに基づく広帯域セルの有無に関する判定より煩雑であるため、周辺セルに基づく広帯域セルの有無に関する判定の後に、通信履歴情報および位置情報に基づく広帯域セルの有無に関する判定を行う。
【０１４６】
具体的には、図１９に示すように、測定方式選択部２２において、まず、端末１がマクロセル、スモールセルおよびスポットセルのいずれに在圏するかを判定する（ＳＴ１１１）。
【０１４７】
ここで、端末１がスポットセルに在圏する場合には（ＳＴ１１１でスポットセル）、第１の測定方式を選択する（ＳＴ１０２）。また、端末１がマクロセルに在圏する場合には（ＳＴ１１１でマクロセル）、第２の測定方式を選択する（ＳＴ１０３）。
【０１４８】
一方、端末１がスモールセルに在圏する場合には（ＳＴ１１１でスモールセル）、次に、マクロセルの基地局２から送信された測定制御（Measurement Control）のメッセージで通知された周辺セルの中に、広帯域セル、すなわち、在圏セルより広帯域なセルがあるか否かを判定する（ＳＴ１２１）。
【０１４９】
ここで、周辺セルの中に広帯域セルがない場合には（ＳＴ１２１でＮｏ）、第１の測定方式を選択する（ＳＴ１０２）。
【０１５０】
一方、周辺セルの中に広帯域セルがある場合には（ＳＴ１２１でＹｅｓ）、次に、位置情報取得部１２から端末１の現在位置を取得する（ＳＴ１１２）。次に、情報格納部１４の履歴データベースから、端末１の現在位置の近傍の通信履歴情報、具体的には、端末１の現在位置の近傍における過去の接続セルと、その接続セルの無線通信方式を取得する（ＳＴ１１３）。そして、端末１の現在位置の近傍に、広帯域セル、すなわち、在圏セルより広帯域なスポットセルがあるか否かを判定する（ＳＴ１１４）。
【０１５１】
ここで、端末１の現在位置の近傍に広帯域セルが存在しない場合（ＳＴ１１４でＮｏ）、すなわち、マクロセルまたはスモールセルしか存在しない場合には、第１の測定方式を選択する（ＳＴ１０２）。一方、端末１の現在位置の近傍に広帯域セルが存在する場合には（ＳＴ１１４でＹｅｓ）、第２の測定方式を選択する（ＳＴ１０３）。
【０１５２】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【０１５３】
例えば、前記の実施形態では、在圏セルの帯域と、制御プレーンの基地局から通知される周辺セルの帯域と、端末の位置情報および通信履歴情報から求められる端末の近傍に存在するセルの帯域と、を判定基準として、この３つの判定基準を適宜に組み合わせて、通信品質の測定方式を選択するようにしたが、これらの実施形態に開示していない判定基準の組み合わせで、通信品質の測定方式を選択するようにしてもよい。例えば、制御プレーンの基地局から通知される周辺セルの帯域と、端末の位置情報および通信履歴情報から求められる端末の近傍に存在するセルの帯域との２つの判定基準で、通信品質の測定方式を選択するようにしてもよい。
【０１５４】
また、前記の実施形態では、第２の測定方式において、通信品質の測定対象を１つに絞り込むようにしたが、通信品質の測定対象を複数に絞り込むものとしてもよい。この場合でも、制御プレーンの基地局から通知される周辺セルより少数のセルに絞り込むことで、通信品質測定に要する時間を短縮することができる。
【０１５５】
また、前記の実施形態では、マクロセル、スモールセルおよびスポットセルの３種類のセルが存在する、すなわち、帯域が３段階に異なるセルが存在する例について説明したが、帯域が４段階以上に異なるセルが存在する場合でも同様な制御が可能である。
【産業上の利用可能性】
【０１５６】
本発明に係る端末装置、通信システムおよび通信品質測定方法は、端末装置において通信品質の測定対象を適切に絞り込んで、通信品質測定に要する時間を短縮することができる効果を有し、通信制御装置から通知される周辺セルを対象にして通信品質を測定して、その測定結果を通信制御装置に報告する端末装置、通信システムおよび通信品質測定方法などとして有用である。
【符号の説明】
【０１５７】
１  端末
２  マクロセルの基地局（通信制御装置）
３  スモールセルの基地局
４  スポットセルの基地局
１１  通信部
１２  位置情報取得部
１３  制御部
１４  情報格納部
２１  通信制御部
２２  測定方式選択部
２３  測定対象抽出部
２４  通信品質測定部
２５  履歴登録部
【図１】
2018182461.tif 000003
【図２】
2018182461.tif 000004
【図３】
2018182461.tif 000005
【図４】
2018182461.tif 000006
【図５】
2018182461.tif 000007
【図６】
2018182461.tif 000008
【図７】
2018182461.tif 000009
【図８】
2018182461.tif 000010
【図９】
2018182461.tif 000011
【図１０】
2018182461.tif 000012
【図１１】
2018182461.tif 000013
【図１２】
2018182461.tif 000014
【図１３】
2018182461.tif 000015
【図１４】
2018182461.tif 000016
【図１５】
2018182461.tif 000017
【図１６】
2018182461.tif 000018
【図１７】
2018182461.tif 000019
【図１８】
2018182461.tif 000020
【図１９】
2018182461.tif 000021
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
通信制御装置から通知される周辺セルを対象にして通信品質を測定して、その測定結果を前記通信制御装置に報告する端末装置であって、
前記通信制御装置と通信を行う通信部と、
自装置の位置情報を取得する位置情報取得部と、
各位置での過去の通信状況に関する通信履歴情報を蓄積する情報格納部と、
前記周辺セルに関する情報を前記通信制御装置から受信すると、前記周辺セルを対象にして通信品質を測定して、その測定結果を前記通信制御装置に送信する制御部と、
を備え、
前記制御部は、
自装置が現在在圏する在圏セルが最も広帯域なセルである場合に、第１の測定方式を選択し、
前記在圏セルが最も狭帯域なセルである場合に、第２の測定方式を選択し、
前記第１の測定方式を選択した場合には、前記周辺セルの全てを対象にして通信品質を測定し、
前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定することを特徴とする端末装置。
【請求項２】
通信制御装置から通知される周辺セルを対象にして通信品質を測定して、その測定結果を前記通信制御装置に報告する端末装置であって、
前記通信制御装置と通信を行う通信部と、
自装置の位置情報を取得する位置情報取得部と、
各位置での過去の通信状況に関する通信履歴情報を蓄積する情報格納部と、
前記周辺セルに関する情報を前記通信制御装置から受信すると、前記周辺セルを対象にして通信品質を測定して、その測定結果を前記通信制御装置に送信する制御部と、
を備え、
前記制御部は、
自装置が現在在圏する在圏セルが最も広帯域なセルであるか否かの前記在圏セルの帯域に関する情報、前記周辺セルの中に前記在圏セルより広帯域なセルがあるか否かの前記周辺セルの帯域に関する情報、および自装置の近傍に存在するセルの中に前記在圏セルより広帯域なセルがあるか否かの前記近傍に存在するセルの帯域に関する情報の少なくともいずれかに基づいて、第１の測定方式および第２の測定方式のいずれかを選択し、
前記第１の測定方式を選択した場合には、前記周辺セルの全てを対象にして通信品質を測定し、
前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定することを特徴とする端末装置。
【請求項３】
前記制御部は、
前記自装置の現在の位置情報および前記通信履歴情報に基づいて、前記自装置の近傍に存在するセルの帯域に関する情報を取得することを特徴とする請求項２に記載の端末装置。
【請求項４】
前記制御部は、
前記在圏セルが最も広帯域なセルである場合に、前記第１の測定方式を選択し、
前記在圏セルが最も広帯域なセルでない場合に、前記第２の測定方式を選択することを特徴とする請求項２に記載の端末装置。
【請求項５】
前記制御部は、
前記在圏セルが最も広帯域なセルである場合に、前記第１の測定方式を選択し、
前記在圏セルが最も狭帯域なセルである場合に、前記第２の測定方式を選択し、
前記在圏セルが最も広帯域なセルおよび最も狭帯域なセルのいずれでもなく、かつ、前記在圏セルより広帯域なセルが自装置の近傍に存在しない場合に、前記第１の測定方式を選択し、
前記在圏セルが最も広帯域なセルおよび最も狭帯域なセルのいずれでもなく、かつ、前記在圏セルより広帯域なセルが自装置の近傍に存在する場合に、前記第２の測定方式を選択することを特徴とする請求項２に記載の端末装置。
【請求項６】
前記制御部は、
前記在圏セルより広帯域なセルが自装置の近傍に存在しない場合に、前記第１の測定方式を選択し、
前記在圏セルより広帯域なセルが自装置の近傍に存在する場合に、前記第２の測定方式を選択することを特徴とする請求項２に記載の端末装置。
【請求項７】
前記制御部は、
前記周辺セルの中に前記在圏セルより広帯域なセルが存在しない場合に、前記第１の測定方式を選択し、
前記周辺セルの中に前記在圏セルより広帯域なセルが存在する場合に、前記第２の測定方式を選択することを特徴とする請求項２に記載の端末装置。
【請求項８】
前記制御部は、
前記在圏セルが最も広帯域なセルである場合に、前記第１の測定方式を選択し、
前記在圏セルが最も狭帯域なセルである場合に、前記第２の測定方式を選択し、
前記在圏セルが最も広帯域なセルおよび最も狭帯域なセルのいずれでもなく、かつ、前記周辺セルの中に前記在圏セルより広帯域なセルが存在しない場合に、前記第１の測定方式を選択し、
前記在圏セルが最も広帯域なセルおよび最も狭帯域なセルのいずれでもなく、かつ、前記周辺セルの中に前記在圏セルより広帯域なセルが存在する場合に、前記第２の測定方式を選択することを特徴とする請求項２に記載の端末装置。
【請求項９】
前記制御部は、
前記在圏セルが最も広帯域なセルである場合に、前記第１の測定方式を選択し、
前記在圏セルが最も狭帯域なセルである場合に、前記第２の測定方式を選択し、
前記在圏セルが最も広帯域なセルおよび最も狭帯域なセルのいずれでもなく、かつ、前記周辺セルの中に前記在圏セルより広帯域なセルが存在しない場合に、前記第１の測定方式を選択し、
前記在圏セルが最も広帯域なセルおよび最も狭帯域なセルのいずれでもなく、かつ、前記周辺セルの中に前記在圏セルより広帯域なセルが存在し、かつ、前記在圏セルより広帯域なセルが自装置の近傍に存在しない場合に、前記第１の測定方式を選択し、
前記在圏セルが最も広帯域なセルおよび最も狭帯域なセルのいずれでもなく、かつ、前記周辺セルの中に前記在圏セルより広帯域なセルが存在し、かつ、前記在圏セルより広帯域なセルが自装置の近傍に存在する場合に、前記第２の測定方式を選択することを特徴とする請求項２に記載の端末装置。
【請求項１０】
通信制御装置から端末装置に周辺セルを通知し、前記端末装置において、前記周辺セルを対象にして通信品質を測定して、その測定結果を前記通信制御装置に報告する通信システムであって、
前記端末装置は、
前記通信制御装置と通信を行う通信部と、
自装置の位置情報を取得する位置情報取得部と、
各位置での過去の通信状況に関する通信履歴情報を蓄積する情報格納部と、
前記周辺セルに関する情報を前記通信制御装置から受信すると、前記周辺セルを対象にして通信品質を測定して、その測定結果を前記通信制御装置に送信する制御部と、
を備え、
前記制御部は、
自装置が現在在圏する在圏セルが最も広帯域なセルである場合に、第１の測定方式を選択し、
前記在圏セルが最も狭帯域なセルである場合に、第２の測定方式を選択し、
前記第１の測定方式を選択した場合には、前記周辺セルの全てを対象にして通信品質を測定し、
前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定することを特徴とする通信システム。
【請求項１１】
通信制御装置から端末装置に周辺セルを通知し、前記端末装置において、前記周辺セルを対象にして通信品質を測定して、その測定結果を前記通信制御装置に報告する通信システムであって、
前記端末装置は、
前記通信制御装置と通信を行う通信部と、
自装置の位置情報を取得する位置情報取得部と、
各位置での過去の通信状況に関する通信履歴情報を蓄積する情報格納部と、
前記周辺セルに関する情報を前記通信制御装置から受信すると、前記周辺セルを対象にして通信品質を測定して、その測定結果を前記通信制御装置に送信する制御部と、
を備え、
前記制御部は、
自装置が現在在圏する在圏セルが最も広帯域なセルであるか否かの前記在圏セルの帯域に関する情報、前記周辺セルの中に前記在圏セルより広帯域なセルがあるか否かの前記周辺セルの帯域に関する情報、および自装置の近傍に存在するセルの中に前記在圏セルより広帯域なセルがあるか否かの前記近傍に存在するセルの帯域に関する情報の少なくともいずれかに基づいて、第１の測定方式および第２の測定方式のいずれかを選択し、
前記第１の測定方式を選択した場合には、前記周辺セルの全てを対象にして通信品質を測定し、
前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定することを特徴とする通信システム。
【請求項１２】
通信制御装置から通知される周辺セルを対象にして通信品質を測定して、その測定結果を前記通信制御装置に報告する端末装置の通信品質測定方法であって、
前記周辺セルに関する情報を前記通信制御装置から受信すると、
前記端末装置が現在在圏する在圏セルが最も広帯域なセルである場合に、第１の測定方式を選択し、
前記在圏セルが最も狭帯域なセルである場合に、第２の測定方式を選択し、
前記第１の測定方式を選択した場合には、前記周辺セルの全てを対象にして通信品質を測定し、
前記第２の測定方式を選択した場合には、自装置の現在の位置情報を取得して、その位置情報、および各位置での過去の通信状況に関する通信履歴情報に基づいて、前記周辺セルの少なくとも１つのセルを抽出して、そのセルを対象として通信品質を測定し、
前記通信品質の測定結果を前記通信制御装置に送信することを特徴とする通信品質測定方法。
【請求項１３】
通信制御装置から通知される周辺セルを対象にして通信品質を測定して、その測定結果を前記通信制御装置に報告する端末装置の通信品質測定方法であって、
前記周辺セルに関する情報を前記通信制御装置から受信すると、
自装置が現在在圏する在圏セルが最も広帯域なセルであるか否かの前記在圏セルの帯域に関する情報、前記周辺セルの中に前記在圏セルより広帯域なセルがあるか否かの前記周辺セルの帯域に関する情報、および自装置の近傍に存在するセルの中に前記在圏セルより広帯域なセルがあるか否かの前記近傍に存在するセルの帯域に関する情報の少なくともいずれかに基づいて、第１の測定方式および第２の測定方式のいずれかを選択し、
前記第１の測定方式を選択した場合には、前記周辺セルの全てを対象にして通信品質を測定し、
前記第２の測定方式を選択した場合には、自装置の現在の位置情報を取得して、その位置情報、および各位置での過去の通信状況に関する通信履歴情報に基づいて、前記周辺セルの少なくとも１つのセルを抽出して、そのセルを対象として通信品質を測定し、
前記通信品質の測定結果を前記通信制御装置に送信することを特徴とする通信品質測定方法。
【手続補正２】
【補正対象書類名】明細書
【補正対象項目名】００１４
【補正方法】変更
【補正の内容】
【００１４】
また、第２の発明は、通信制御装置から通知される周辺セルを対象にして通信品質を測定して、その測定結果を前記通信制御装置に報告する端末装置であって、前記通信制御装置と通信を行う通信部と、自装置の位置情報を取得する位置情報取得部と、各位置での過去の通信状況に関する通信履歴情報を蓄積する情報格納部と、前記周辺セルに関する情報を前記通信制御装置から受信すると、前記周辺セルを対象にして通信品質を測定して、その測定結果を前記通信制御装置に送信する制御部と、を備え、前記制御部は、自装置が現在在圏する在圏セルが最も広帯域なセルであるか否かの前記在圏セルの帯域に関する情報、前記周辺セルの中に前記在圏セルより広帯域なセルがあるか否かの前記周辺セルの帯域に関する情報、および自装置の近傍に存在するセルの中に前記在圏セルより広帯域なセルがあるか否かの前記近傍に存在するセルの帯域に関する情報の少なくともいずれかに基づいて、第１の測定方式および第２の測定方式のいずれかを選択し、前記第１の測定方式を選択した場合には、前記周辺セルの全てを対象にして通信品質を測定し、前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定する構成とする。
【手続補正３】
【補正対象書類名】明細書
【補正対象項目名】００３２
【補正方法】変更
【補正の内容】
【００３２】
また、第１１の発明は、通信制御装置から端末装置に周辺セルを通知し、前記端末装置において、前記周辺セルを対象にして通信品質を測定して、その測定結果を前記通信制御装置に報告する通信システムであって、前記端末装置は、前記通信制御装置と通信を行う通信部と、自装置の位置情報を取得する位置情報取得部と、各位置での過去の通信状況に関する通信履歴情報を蓄積する情報格納部と、前記周辺セルに関する情報を前記通信制御装置から受信すると、前記周辺セルを対象にして通信品質を測定して、その測定結果を前記通信制御装置に送信する制御部と、を備え、前記制御部は、自装置が現在在圏する在圏セルが最も広帯域なセルであるか否かの前記在圏セルの帯域に関する情報、前記周辺セルの中に前記在圏セルより広帯域なセルがあるか否かの前記周辺セルの帯域に関する情報、および自装置の近傍に存在するセルの中に前記在圏セルより広帯域なセルがあるか否かの前記近傍に存在するセルの帯域に関する情報の少なくともいずれかに基づいて、第１の測定方式および第２の測定方式のいずれかを選択し、前記第１の測定方式を選択した場合には、前記周辺セルの全てを対象にして通信品質を測定し、前記第２の測定方式を選択した場合には、自装置の現在の位置情報を取得して、その位置情報および前記通信履歴情報に基づいて、前記周辺セルの少なくとも１つのセルを抽出して、そのセルを対象として通信品質を測定する構成とする。
【手続補正４】
【補正対象書類名】明細書
【補正対象項目名】００３６
【補正方法】変更
【補正の内容】
【００３６】
また、第１３の発明は、通信制御装置から通知される周辺セルを対象にして通信品質を測定して、その測定結果を前記通信制御装置に報告する端末装置の通信品質測定方法であって、前記周辺セルに関する情報を前記通信制御装置から受信すると、自装置が現在在圏する在圏セルが最も広帯域なセルであるか否かの前記在圏セルの帯域に関する情報、前記周辺セルの中に前記在圏セルより広帯域なセルがあるか否かの前記周辺セルの帯域に関する情報、および自装置の近傍に存在するセルの中に前記在圏セルより広帯域なセルがあるか否かの前記近傍に存在するセルの帯域に関する情報の少なくともいずれかに基づいて、第１の測定方式および第２の測定方式のいずれかを選択し、前記第１の測定方式を選択した場合には、前記周辺セルの全てを対象にして通信品質を測定し、前記第２の測定方式を選択した場合には、自装置の現在の位置情報を取得して、その位置情報、および各位置での過去の通信状況に関する通信履歴情報に基づいて、前記周辺セルの少なくとも１つのセルを抽出して、そのセルを対象として通信品質を測定し、前記通信品質の測定結果を前記通信制御装置に送信する構成とする。